(57)【要約】【課題】レンズをコネクタにはめ込むだけで固定でき、しかも強固な係合が可能である縁なし眼鏡を提供する。【解決手段】縁なしレンズ（１，２）と、ブリッジ（３）及びつる（４，５）先端のコネクタ（６，７）を有する縁なし眼鏡である。前記縁なしレンズ（１，２）は、左右上端付近に、内方に延びる切り欠き（１１，１２）を有し、前記切り欠き（１１，１２）は段部（１３）が設けられていて、短寸の第１厚み部（１４）を形成している。前記ブリッジ及び前記コネクタの表面は、上下にわたって長手方向断面Ｃ字状の溝（３１，６１）を有する。前記縁なしレンズ（１，２）の切り欠きと前記ブリッジ（３）及び前記コネクタの溝（３１，６１）が係合することにより、前記第１厚み部（１４）と前記溝（３１，６１）が嵌り合う。【選択図】図２
2011002808.tif 000002
【特許請求の範囲】
【請求項１】
縁なしレンズ（１，１Ａ，１Ｂ，２）をブリッジ（３，３Ａ，３Ｂ）及びつる（４，５）先端のコネクタ（６，７）に固定する方法であって、
前記縁なしレンズ（１，１Ａ，１Ｂ，２）の左右上端付近に、内方に延びる切り欠き（１１，１１Ａ，１１Ｂ；１２）を設け、さらに前記切り欠き（１１，１１Ａ，１１Ｂ；１２）に段部（１３）を設けて、短寸の第１厚み部（１４）を形成し、
前記ブリッジ（３，３Ａ，３Ｂ）及び前記コネクタ（６）の表面に、上下にわたって長手方向断面Ｃ字状の溝（３１，６１）を設け、
前記縁なしレンズの切り欠き（１１，１２）と前記ブリッジ及び前記コネクタの溝（３１，６１）を係合させ、
前記第１厚み部（１４）と前記溝（３１，６１）が嵌り合うことを特徴とする方法。
【請求項２】
縁なしレンズ（１，１Ａ，１Ｂ，２）と、ブリッジ（３，３Ａ，３Ｂ）及びつる（４，５）先端のコネクタ（６，７）を有する縁なし眼鏡であって、
前記縁なしレンズ（１，１Ａ，１Ｂ，２）は、左右上端付近に、内方に延びる切り欠き（１１，１１Ａ，１１Ｂ；１２）を有し、前記切り欠き（１１，１１Ａ，１１Ｂ；１２）には段部（１３）が設けられていて、短寸の第１厚み部（１４）を形成しており、
前記ブリッジ及び前記コネクタの表面は、上下にわたって長手方向断面Ｃ字状の溝（３１，３１Ａ，３１Ｂ；６１）を有し、
前記縁なしレンズ（１，２）の切り欠きと前記ブリッジ（３）及び前記コネクタの溝（３１，３１Ａ，３１Ｂ；６１）が係合することにより、前記第１厚み部（１４）と前記溝（３１，３１Ａ，３１Ｂ；６１）が嵌り合うことを特徴とする縁なし眼鏡。
【請求項３】
前記ブリッジ（３）及び／又は前記コネクタ（６）の溝底が凸部（３２）を有し、前記レンズの切り欠き（１１）が凹部（１６，１７）を有し、これらの凸部（３２）と凹部（１６，１７）が係合可能である請求項２記載の縁なし眼鏡。
【請求項４】
前記ブリッジ（３Ａ）及び／又は前記コネクタの溝底が凹部（３２Ａ）を有し、前記レンズの切り欠き（１１Ａ）が凸部（１６Ａ，１７Ａ）を有し、これらの凹部（３２Ａ）と凸部（１６Ａ，１７Ａ）が係合可能である請求項２記載の縁なし眼鏡。
【請求項５】
前記ブリッジ（３Ｂ）及び／又は前記コネクタの溝前方に凸部（３２Ｂ）があり、前記レンズの切り欠き（１１Ｂ）段部側面に凹部（１７Ｂ）があり、これらの凹部（１７Ｂ）と凸部（３２Ｂ）が係合可能である請求項２記載の縁なし眼鏡。
【請求項６】
縁なしレンズ（１Ｃ，１Ｄ）をブリッジ（３Ｃ，３Ｄ）及びつる（４，５）先端のコネクタ（６，７）に固定する方法であって、
前記縁なしレンズ（１Ｃ，１Ｄ）の左右上端付近に、内方に延びる切り欠き（１１Ｃ，１１Ｄ）を設け、この切り欠き（１１Ｃ，１１Ｄ）が凹部（１６Ｃ，１７Ｃ）又は凸部（１６Ｄ，１７Ｄ）を有し、
前記ブリッジ（３Ｃ，３Ｄ）及び前記コネクタ（６）の表面に、上下にわたって長手方向断面Ｃ字状の溝（３１Ｃ，３１Ｄ）を設け、この溝が凸部（３２Ｃ）又は凹部（３２Ｄ）を有し、
前記縁なしレンズの切り欠き（１１Ｃ，１１Ｄ）と前記ブリッジ及び前記コネクタの溝（３１Ｃ，３１Ｄ）を係合させ、前記凸部（３２Ｃ）と前記凹部（１６Ｃ，１７Ｃ）、又は、前記凹部（３２Ｄ）と前記凸部（１６Ｄ，１７Ｄ）を係合させることを特徴とする方法。
【請求項７】
縁なしレンズ（１Ｃ，１Ｄ）と、ブリッジ（３Ｃ，３Ｄ）及びつる（４，５）先端のコネクタ（６，７）を有する縁なし眼鏡であって、
前記縁なしレンズ（１Ｃ，１Ｄ）は、左右上端付近に、内方に延びる切り欠き（１１Ｃ，１１Ｄ）を有し、この切り欠き（１１Ｃ，１１Ｄ）が凹部（１６Ｃ，１７Ｃ）又は凸部（１６Ｄ，１７Ｄ）を有し、
前記ブリッジ及び前記コネクタの表面は、上下にわたって長手方向断面Ｃ字状の溝（３１Ｃ，３１Ｄ）を有し、この溝が凸部（３２Ｃ）又は凹部（３２Ｄ）を有し、
前記縁なしレンズ（１Ｃ，１Ｄ）の切り欠き（１１Ｃ，１１Ｄ）と前記ブリッジ及び前記コネクタの溝（３１Ｃ，３１Ｄ）が係合し、前記凸部（３２）と前記凹部（１６Ｃ，１７Ｃ）、又は、前記凹部（３２Ｄ）と前記凸部（１６Ｄ，１７Ｄ）が係合することを特徴とする縁なし眼鏡。
【請求項８】
縁なしレンズ（１Ｅ）と、ブリッジ（３Ｅ）及びつる（４，５）先端のコネクタ（６，７）を有する縁なし眼鏡であって、
前記縁なしレンズ（１Ｅ）は、左右上端付近に、内方に延びる切り欠き（１１Ｅ）を有し、この切り欠き（１１Ｅ）周辺に凹部（１７Ｅ）を有し、
前記ブリッジ及び前記コネクタの表面は、上下にわたって長手方向断面Ｃ字状の溝（３１Ｅ）を有し、この溝前方に凸部（３２Ｅ）を有し、
前記縁なしレンズ（１Ｅ）の切り欠きと前記ブリッジ（３Ｅ）及び前記コネクタの溝（３１Ｅ）が係合し、これらの凹部（１７Ｅ）と凸部（３２Ｅ）が係合することを特徴とする縁なし眼鏡。
【発明の詳細な説明】
【技術分野】
【０００１】
本発明は、縁なし眼鏡におけるレンズの固定方法及びそれを使用した縁なし眼鏡に関する。縁なし眼鏡で使用するレンズにはガラス製のものとプラスチック製のものがあるが、本発明は、プラスチック製縁なしレンズ（例えばサングラス）の固定に最も適している。
【背景技術】
【０００２】
プラスチック製縁なし眼鏡において、レンズとブリッジ及びレンズとコネクタとを固定する方法としては、添付の図９に示すように、レンズに貫通孔を設け、この貫通孔に挿通したネジをナットで締結することにより、レンズを固定する方法が一般的である。レンズの厚みの違いに対しては、ナットの締結位置を変化させることで対応可能である。このような機構は、例えば特開２００４−２９８５５や特開２００２−２４４０８３の添付図面にも見られる。
【０００３】
ネジを用いてレンズを固定する方法は、予めブリッジ及びコネクタにネジを取り付けておく工程が必須であるが、この作業は精密加工を要し、生産性が悪く、製造コストを上昇させるものであった。
【０００４】
そこで、特許第２６１５３３３号では、レンズをコネクタにはめ込むだけで固定することを提案している。これによると、レンズ上の窪みがコネクタ上の突起と係合するように構成されている。
【発明の概要】
【発明が解決しようとする課題】
【０００５】
上記特許第２６１５３３３号の発明では、迅速なレンズの交換が可能ではあるが、レンズとコネクタの係合が引っかけ程度であり、激しい運動などにより脱落することが予想される。
【０００６】
本発明では、レンズをコネクタにはめ込むだけで固定でき、しかも強固な係合が可能である縁なし眼鏡におけるレンズの固定方法を提供することを目的とする。また、それによって得られる縁なし眼鏡を提供することも目的とする。
【課題を解決するための手段】
【０００７】
請求項１の発明は、縁なしレンズをブリッジ及びつる先端のコネクタに固定する方法であって、前記縁なしレンズの左右上端付近に、内方に延びる切り欠きを設け、さらに前記切り欠きに段部を設けて、短寸の第１厚み部を形成し、前記ブリッジ及び前記コネクタの表面に、上下にわたって長手方向断面Ｃ字状の溝を設け、前記縁なしレンズの切り欠きと前記ブリッジ及び前記コネクタの溝を係合させ、前記切り欠きの第１厚み部と前記溝が嵌り合うことを特徴とする。
【０００８】
請求項２の発明は、縁なしレンズと、ブリッジ及びつる先端のコネクタを有する縁なし眼鏡であって、前記縁なしレンズは、左右上端付近に、内方に延びる切り欠きを有し、前記切り欠きは段部が設けられていて、短寸の第１厚み部を形成しており、前記ブリッジ及び前記コネクタの表面は、上下にわたって長手方向断面Ｃ字状の溝を有し、前記縁なしレンズの切り欠きと前記ブリッジ及び前記コネクタの溝が係合することにより、前記第１厚み部と前記溝が嵌り合うことを特徴とする。
【０００９】
請求項３の発明は、請求項２の縁なし眼鏡において、前記ブリッジ及び前記コネクタの溝底が凸部を有し、前記レンズの切り欠きが凹部を有し、これらの凸部と凹部が係合可能であるものである。
【００１０】
請求項４の発明は、請求項２の縁なし眼鏡において、前記ブリッジ及び前記コネクタの溝底が凹部を有し、前記レンズの切り欠きが凸部を有し、これらの凸部と凹部が係合可能であるものである。
【００１１】
請求項５の発明は、請求項２の縁なし眼鏡において、前記ブリッジ及び／又は前記コネクタの溝前方に凸部があり、前記レンズの切り欠き段部側面に凹部があり、これらの凹部と凸部が係合可能であるものである。
【００１２】
請求項６の発明は、縁なしレンズをブリッジ及びつる先端のコネクタに固定する方法であって、前記縁なしレンズの左右上端付近に、内方に延びる切り欠きを設け、この切り欠きが凹部又は凸部を有し、前記ブリッジ及び前記コネクタの表面に、上下にわたって長手方向断面Ｃ字状の溝を設け、この溝が凸部又は凹部を有し、前記縁なしレンズの切り欠きと前記ブリッジ及び前記コネクタの溝を係合させ、前記凸部と前記凹部、又は、前記凹部と前記凸部を係合させることを特徴とする方法である。
【００１３】
請求項７の発明は、縁なしレンズと、ブリッジ及びつる先端のコネクタを有する縁なし眼鏡であって、前記縁なしレンズは、左右上端付近に、内方に延びる切り欠きを有し、この切り欠きが凹部又は凸部を有し、前記ブリッジ及び前記コネクタの表面は、上下にわたって長手方向断面Ｃ字状の溝を有し、この溝が凸部又は凹部を有し、前記縁なしレンズの切り欠きと前記ブリッジ及び前記コネクタの溝が係合し、前記凸部と前記凹部、又は、前記凹部と前記凸部が係合することを特徴とする縁なし眼鏡である。
【００１４】
請求項８の発明は、縁なしレンズと、ブリッジ及びつる先端のコネクタを有する縁なし眼鏡であって、前記縁なしレンズは、左右上端付近に、内方に延びる切り欠きを有し、この切り欠き周辺に凹部を有し、前記ブリッジ及び前記コネクタの表面は、上下にわたって長手方向断面Ｃ字状の溝を有し、この溝前方に凸部を有し、前記縁なしレンズの切り欠きと前記ブリッジ及び前記コネクタの溝が係合し、これらの凹部と凸部が係合することを特徴とする縁なし眼鏡である。
【発明の効果】
【００１５】
請求項１及び請求項２の発明によれば、前記縁なしレンズの切り欠きと前記ブリッジ及び前記コネクタの溝を係合させると、前記第１厚み部と前記溝が嵌り合うので、レンズをコネクタにはめ込むだけで固定できる。さらに、レンズ切り欠きの段部までの第１厚み部の厚みを共通にしておけば、どのような厚みのレンズであっても、ブリッジ及びコネクタは１種類で対応可能となる。
【００１６】
請求項３〜請求項５の発明によれば、前記第１厚み部と前記溝が嵌り合うだけでなく、さらに前記ブリッジ及び前記コネクタの溝底の凸部（又は凹部）と、前記レンズの切り欠きの凹部（又は凸部）が係合可能であるので、係合が一層強固なものとなる。
【００１７】
請求項６〜請求項８の発明によれば、第１厚み部が設けられていない点を除けば、請求項３〜請求項５と同様である。従って、「どのような厚みのレンズであっても、ブリッジ及びコネクタは１種類で対応可能」という効果を除けば、同様の効果が得られる。
【図面の簡単な説明】
【００１８】
【図１】本発明の実施例１に係る縁なしサングラスの正面図である。
【図２】本発明の実施例１に係る縁なしサングラスの平面図である。
【図３】本発明の実施例１に係る縁なしサングラスレンズの（ａ）正面図、（ｂ）図３のｂ−ｂ’断面図、（ｃ）表及び裏からみた一部拡大斜視図である。
【図４】本発明の実施例１に係る縁なしサングラスのつるとコネクタの表及び裏からみた斜視図である。
【図５】本発明の実施例１に係る縁なしサングラスのブリッジの斜視図である。
【図６】図１のａ−ａ’断面図である。
【図７】本発明の実施例２に係る縁なしサングラスレンズの（ａ）表及び裏からみた一部拡大斜視図、（ｂ）ブリッジの斜視図である。
【図８】本発明の実施例３に係る縁なしサングラスレンズの（ａ）表及び裏からみた一部拡大斜視図、（ｂ）ブリッジの斜視図である。
【図９】従来技術によるレンズとブリッジの結合状態を示す断面図である。
【図１０】本発明の実施例５に係る縁なしサングラスレンズの（ａ）表及び裏からみた一部拡大斜視図、（ｂ）ブリッジの斜視図、（ｃ）サングラスレンズの断面図である。
【図１１】本発明の実施例６に係る縁なしサングラスレンズの（ａ）表及び裏からみた一部拡大斜視図、（ｂ）ブリッジの斜視図、（ｃ）サングラスレンズの断面図である。
【図１２】本発明の実施例７に係る縁なしサングラスレンズの（ａ）表及び裏からみた一部拡大斜視図、（ｂ）ブリッジの斜視図、（ｃ）サングラスレンズの断面図である。
【発明を実施するための形態】
【００１９】
以下、添付の図面に基づき、サングラスを例にして、本発明の実施例を説明する。
【実施例１】
【００２０】
図１及び２に示すように、このサングラスは、従来のサングラス同様に、左右のレンズ１，２と、左右のレンズを接続するブリッジ３と、左右のつる４，５と、つるとレンズを接続するコネクタ６，７を有する。
【００２１】
レンズ１，２とブリッジ３、及び、レンズ１，２とコネクタ６，７は、差し込みにより、固定される。
【００２２】
図３（ａ）に示すように、レンズ１（及び２）には、左右上端付近に、内方に延びる細い切り欠き１１，１２が設けられている。この切り欠きには、図２（ｂ）（ｃ）に示すように、レンズの内側から一定の厚みのところで段部１３が設けられている。そのため、短寸の第１厚み部１４と全体厚みの第２厚み部１５が形成されている。第１厚み部１４は    、約１．２〜２．０ｍｍである。そのため、レンズ外方の切り欠き幅はレンズ内方の切り欠き幅よりも大きい。また、第１厚み部１４の上下表面において、幅方向に延びる線状の凹部１６，１７が形成されている。このような切り欠き１１，１２は、市販の三次元研削加工機により研削加工を行うことにより得られる。
【００２３】
一方、つる４（及び５）先端のコネクタ６（及び７）では、図４に示すように、レンズ側に上下にわたって長手方向断面Ｃ字状に細く浅い溝６１が形成されている。溝幅は約２ｍｍ、溝の深さは約１ｍｍである。上下の各溝底に１本ずつ線状に凸部６２が形成されている。
【００２４】
また、ブリッジ３では、図５に示すように、ブリッジ３のレンズ側左右上端に上下にわたって長手方向断面Ｃ字状に細く浅い溝３１が形成されている。溝幅は約２ｍｍ溝の深さは約１ｍｍである。上下の各溝底に１本ずつ線状に凸部３２が形成されている。
【００２５】
レンズ１，２とコネクタ６，７、及び、レンズ１，２とブリッジ３を固定するには、ブリッジ及びコネクタの溝３１，６１をレンズの切り欠き１１，１２に強く差し込むだけでよい。差し込みが終われば、図６の状態となり、ブリッジ及びコネクタの溝３１，６１とレンズの切り欠き１１，１２の第１厚み部１４が係合し、いわば地獄嵌めとなり、簡単には外れない。また、同時にレンズ切り欠きの凹部１７とブリッジおよびコネクタ溝の凸部３２,６２とが嵌合するので一層係合が強化される。
【００２６】
図６（ａ）（ｂ）には、厚みの異なる２種類のレンズが示されている。いずれのレンズにおいても段部までの第１厚み部１４の厚みは同じであるので、レンズの厚みに応じて、ブリッジ及びコネクタの溝の深さを変更する必要はない。すなわち、レンズ切り欠きの段部までの第１厚み部１４の厚みを共通にしておけば、どのような厚みのレンズであっても、ブリッジ及びコネクタは１種類で対応可能ということである。
【実施例２】
【００２７】
図７は、実施例２におけるレンズ１Ａの切り欠き１１Ａ及びブリッジ３Ａの溝３１Ａの形状を示している。実施例１と異なるのは、溝底の凸部３２が凹部３２Ａに置き換えられ、レンズ切り欠きの凹部１７が凸部１７Ａに置き換えられていることである。ブリッジの溝３１Ａをレンズの切り欠き１１Ａに強く差し込んだとき、凸部１７Ａと凹部３２Ａが嵌り合う。
【実施例３】
【００２８】
図８は実施例３におけるレンズ１Ｂの切り欠き１１Ｂ及びブリッジ３Ｂの溝３１Ｂの形状を示している。実施例１と異なるのは、溝底の凸部３２が溝前方ブリッジ先端の凸部３２Ｂに置き換えられ、レンズの凹部１７が切り欠き段部側面の凹部１７Ｂに置き換えられていることである。ブリッジの溝３１Ｂをレンズの切り欠き１１Ｂに強く差し込んだとき、凹部１７Ｂと凸部３２Ｂが嵌り合う。
【実施例４】
【００２９】
図示しないが、レンズ切り欠きの第１厚み部１４をレンズ外方側に設けることも可能である。
【実施例５】
【００３０】
図１０は実施例５におけるレンズ１Ｃの切り欠き１１Ｃ及びブリッジ３Ｃの溝３１Ｃの形状を示している。実施例１と異なるのは、レンズに段部がないことであり、従って第１厚み部がなく、レンズの全体の厚み（実施例１における第２厚み部１５）のみである。ブリッジの溝３１Ｃをレンズの切り欠き１１Ｃに強く差し込んだとき、凹部１６Ｃ，１７Ｃと凸部３２Ｃが嵌り合う。
【００３１】
この実施例５では、第１厚み部がないため、実施例１に関して、図６（ａ）（ｂ）において説明した「レンズの厚みに応じて、ブリッジ及びコネクタの溝の深さを変更する必要はない」という効果は得られない（図１０（ｃ）参照）。従って、実施例５は実施例１よりも効果の点で劣るが、サングラスでは、レンズの厚みを変更する必要性は近視用又は遠視用眼鏡ほどにはないので、十分実用に耐えうる。
【実施例６】
【００３２】
図１１は実施例６におけるレンズ１Ｄの切り欠き１１Ｄ及びブリッジ３Ｄの溝３１Ｄの形状を示している。実施例２と異なるのは、レンズに段部がないことであり、従って第１厚み部がなく、レンズの全体の厚みのみである。ブリッジの溝３１Ｄをレンズの切り欠き１１Ｅに強く差し込んだとき、凹部１６Ｄ，１７Ｄと凸部３２Ｄが嵌り合う。
【００３３】
この実施例６でも、実施例５と同じ理由により、実施例２よりも効果の点で劣るが、サングラスでは、レンズの厚みを変更する必要性は近視用又は遠視用眼鏡ほどにはないので、十分実用に耐えうる。
【実施例７】
【００３４】
図１２は実施例７におけるレンズ１Ｅの切り欠き１１Ｅ及びブリッジ３Ｅの溝３１Ｅの形状を示している。実施例３と異なるのは、レンズに段部がないこと、及び、レンズの凹部が切り欠き周辺に位置することである。ブリッジの溝３１Ｅをレンズの切り欠き１１Ｅに強く差し込んだとき、凹部１７Ｅと凸部３２Ｅが嵌り合う。
【００３５】
この実施例７でも、実施例５と同じ理由により、実施例３よりも効果の点で劣るが、サングラスでは、レンズの厚みを変更する必要性は近視用又は遠視用眼鏡ほどにはないので、十分実用に耐えうる。
【先行技術文献】
【特許文献】
【００３６】
【特許文献１】特開２００４−２９８５５
【特許文献２】特開２００２−２４４０８３
【特許文献３】特許第２６１５３３３号
【符号の説明】
【００３７】
１，２，１Ａ，１Ｂ，１Ｃ，１Ｄ，１Ｅ      レンズ
１１，１１Ａ，１１Ｂ；１１Ｃ，１１Ｄ，１１Ｅ；１２  切り欠き
１３   段部
１４   第１厚み部
１５   第２厚み部
１６，１７；１６Ｃ，１７Ｂ；１７Ｃ；１７Ｅ         凹部
１６Ａ，１７Ａ；１６Ｄ，１７Ｄ     凸部
３，３Ａ，３Ｂ，３Ｃ，３Ｄ，３Ｅ   ブリッジ
３１，３１Ａ，３１Ｂ，３１Ｃ，３１Ｄ，３１Ｅ     溝
３２，３２Ｂ，３２Ｅ 凸部
３２Ａ，３２Ｄ       凹部
６，７ コネクタ
６１   溝
６２   凸部
【図１】
2011002808.tif 000003
【図２】
2011002808.tif 000004
【図３】
2011002808.tif 000005
【図４】
2011002808.tif 000006
【図５】
2011002808.tif 000007
【図６】
2011002808.tif 000008
【図７】
2011002808.tif 000009
【図８】
2011002808.tif 000010
【図９】
2011002808.tif 000011
【図１０】
2011002808.tif 000012
【図１１】
2011002808.tif 000013
【図１２】
2011002808.tif 000014